(57)【特許請求の範囲】
【請求項１】
エレベータのかご室に対して昇降可能に設けられ、かご室天井部の下面より上方に所定のかご室内空間を形成する天井トランクと、前記かご室のかご壁外面及び前記天井トランク間に設けられ、前記天井トランクを昇降させるトランク昇降装置と、前記かご壁外面及び前記天井トランク間に設けられ、前記天井トランクの昇降方向を案内する昇降案内装置とを備え、前記天井トランクは、前記かご壁の外側に配置されて前記天井トランクの奥側の側壁を形成する背面パネルと、前記かご壁の外側に配置されて前記天井トランクの両側の前記側壁を形成する側面パネルと、前記かご室天井部及びトランク天井部間に設けられてパネルの配置されていない前側の側壁を形成するとともに、前記かご室天井部又は前記トランク天井部に設けられた巻取り装置にその一端部が巻き取られた遮蔽体とを有することを特徴とするエレベータのかご装置。
【請求項２】
天井トランクのトランク天井部は、その上面と下面とが、かご室天井部の上面と下面とにそれぞれ面一となるように配置可能なことを特徴とする請求項１に記載のエレベータのかご装置。
【請求項３】
トランク昇降装置は、かご室のかご壁外面に設けられたピニオン歯車と、天井トランクに設けられ、前記ピニオン歯車が係合するラックとを備えたことを特徴とする請求項１又は請求項２に記載のエレベータのかご装置。
【請求項４】
トランク昇降装置は、かご室のかご壁外面に設けられた油圧パワーユニットと、この油圧パワーユニットにより動作される油圧ジャッキとを備えたことを特徴とする請求項１又は請求項２に記載のエレベータのかご装置。
【請求項５】
昇降案内装置は、かご室のかご壁外面に設けられたガイドレールと、天井トランクに設けられ、前記ガイドレールに係合するガイドシューとを備えたことを特徴とする請求項１から請求項４の何れかに記載のエレベータのかご装置。
【請求項６】
昇降案内装置は、かご室のかご壁外面に設けられたガイドレールと、天井トランクに設けられ、前記ガイドレールの案内面を転動するコロとを備えたことを特徴とする請求項１から請求項４の何れかに記載のエレベータのかご装置。
【発明の詳細な説明】
【技術分野】
【０００１】
この発明は、エレベータ昇降路内を昇降するかご装置に関するものである。
【背景技術】
【０００２】
エレベータのかご装置には、長尺物の運搬に対応するため、かご上部に、かご天井面よりさらに上方に形成されたかご室内空間、いわゆる天井トランクを備えたものがある。また、エレベータのかご装置には、エレベータ保守点検時にかご上で作業する保守作業員の安全を確保するため、通常、かご上にかご上手摺が設けられている。そして、このかご上手摺は、保守作業員が保持しやすいように、その高さがかご上面から７００〜１２００ｍｍの範囲になるように施工されているのが一般的である。したがって、上記天井トランクが備えられたかご装置では、天井トランクが設けられた部分のかご上手摺が、天井トランクが設置されていない部分のかご上手摺よりも天井トランクの高さ分さらに上方に配置されるため、所定のトップクリアランス寸法を確保する必要性から昇降路の省スペース化を阻害する要因となっていた。
【０００３】
なお、従来のエレベータのかご装置には、上記問題を解決するため、エレベータの保守点検時に天井トランクを下方に移動させることにより、天井トランクが設置されている部分のかご上手摺の高さを、天井トランクが設置されていない部分の高さに合わせることができるようにしたものが提案されている（例えば、特許文献１参照）。
【０００４】
【特許文献１】特開平６−２７８９７３号公報
【発明の開示】
【発明が解決しようとする課題】
【０００５】
特許文献１記載のエレベータのかご装置では、保守点検時に天井トランクを下降させることにより天井トランクの一部がかご室内に突出してしまうため、かご室内の安全確認が必要となり、作業性が悪いという問題があった。また、天井トランクを昇降させる昇降装置や昇降方向を案内するガイドレールがかご上に設置されているため、かご上における保守点検時の足場に制限が生じて、作業性を悪化させる要因となっていた。
【０００６】
この発明は、上述のような課題を解決するためになされたもので、その目的は、天井トランクが備えられたエレベータのかご装置において、かご上における保守点検時の作業性を悪化させることなく、昇降路の省スペース化を実現することができるエレベータのかご装置を提供することである。
【課題を解決するための手段】
【０００７】
この発明に係るエレベータのかご装置は、エレベータのかご室に対して昇降可能に設けられ、かご室天井部の下面より上方に所定のかご室内空間を形成する天井トランクと、かご室のかご壁外面及び天井トランク間に設けられ、天井トランクを昇降させるトランク昇降装置と、かご壁外面及び天井トランク間に設けられ、天井トランクの昇降方向を案内する昇降案内装置とを備え、天井トランクは、かご壁の外側に配置されて天井トランクの奥側の側壁を形成する背面パネルと、かご壁の外側に配置されて天井トランクの両側の側壁を形成する側面パネルと、かご室天井部及びトランク天井部間に設けられてパネルの配置されていない前側の側壁を形成するとともに、かご室天井部又はトランク天井部に設けられた巻取り装置にその一端部が巻き取られた遮蔽体とを有するものである。
【発明の効果】
【０００８】
この発明は、エレベータのかご室に対して昇降可能に設けられ、かご室天井部の下面より上方に所定のかご室内空間を形成する天井トランクと、かご室のかご壁外面及び天井トランク間に設けられ、天井トランクを昇降させるトランク昇降装置と、かご壁外面及び天井トランク間に設けられ、天井トランクの昇降方向を案内する昇降案内装置とを備え、天井トランクは、かご壁の外側に配置されて天井トランクの奥側の側壁を形成する背面パネルと、かご壁の外側に配置されて天井トランクの両側の側壁を形成する側面パネルと、かご室天井部及びトランク天井部間に設けられてパネルの配置されていない前側の側壁を形成するとともに、かご室天井部又はトランク天井部に設けられた巻取り装置にその一端部が巻き取られた遮蔽体とを有する構成としたことで、天井トランクが備えられたエレベータのかご装置において、かご上における保守点検時の作業性を悪化させることなく、昇降路の省スペース化を実現することができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエレベータのかご装置の縦断面図、図２はその横断面図である。図１及び図２において、１はエレベータの主索（図示せず）に懸吊されてかご装置全体を支持するかご枠の上枠、２はかご枠の下枠（図示せず）に支持されたかご床、３はかご床２に立設されてかご室４の両側及び奥側の壁面を形成するかご壁、５はかご出入口を開閉するかご戸、６はかご室４内に設けられて乗客が行先階を登録するかご内操作盤、７は両側のかご壁３の上部間に渡って設けられ、その下面がかご室４の天井面の一部を形成するかご室天井部である。そして、かご室４の奥側上部には、かご室天井部７から奥側のかご壁３に渡って所定の開口部が形成されている。
【００１１】
また、このかご装置には、長尺物等の運搬に対応する天井トランクが備えられている。この天井トランクは、その使用時以外はかご室４の奥側上部に形成された上記開口部を塞ぐように配置されるとともに、使用時にかご室４に対して上方に移動され、かご室天井部７の下面よりさらに上方に所定のかご室内空間が形成されるように配置される。なお、天井トランクは、その使用時以外にかご室４の奥側上部に形成された開口部を塞ぐように配置されるトランク天井部８と、このトランク天井部８の奥側から下方に向かって垂設されて天井トランクの奥側の側壁を形成する背面パネル９と、トランク天井部８の両側から下方に向かって垂設されて天井トランクの両側の側壁を形成する側面パネル１０と、パネルが配置されていない天井トランクの前側の側壁を形成する前側遮蔽体１１とを有している。
【００１２】
なお、背面パネル９と側面パネル１０とから構成されて略コ字状を呈する天井トランクの側壁は、かご壁３と所定の間隙を有してかご室４の奥側上部を取り囲むように、かご壁３の外側に配置されている。また、上記前側遮蔽体１１は、かご室天井部７の内部に設けられた巻取り装置７ａによってその一端部が巻き取られるとともに、その先端部がトランク天井部８の乗場側端部に連結されることにより、かご室天井部７及びトランク天井部８間に渡って設けられている。なお、上記巻取り装置７ａをトランク天井部８内に設けて、前側遮蔽体１１の先端部をかご室天井部７に連結しても良い。かかる前側遮蔽体１１は、例えば、アルミやステンレス製のシャッターや丈夫な素材からなるロールスクリーン等で構成される。
【００１３】
ここで、図１はエレベータの通常運転時及び保守点検時における天井トランクの構成、即ち、天井トランクの不使用時の構成を示している。天井トランクを使用しない場合、トランク天井部８の下面は、かご室天井部７の下面と略面一に配置され、このトランク天井部８の下面及びかご室天井部７の下面によりかご室４の天井面が形成される。したがって、天井トランクの不使用時にはかご室４の天井面に段差は生じず、かご室４内の意匠性を損なうことはない。また、トランク天井部８の上面は、かご室天井部７の上面と略面一に配置されており、このトランク天井部８の上面及びかご室天井部７の上面によりかご上面が形成される。したがって、天井トランクの不使用時にはかご上面は全面に渡って平坦に構成され、エレベータの保守点検時、保守作業員の足場を広く確保することが可能となる。
【００１４】
また、１２はかご室４のかご壁３外面及び天井トランク間に設けられ、エレベータによる長尺物の運搬時等に上記天井トランクを昇降させるトランク昇降装置である。このトランク昇降装置１２はラックピニオン機構で構成され、背面パネル９の下部から下方に垂設されたラック１３と、奥側のかご壁３の外面に回動自在に設けられてラック１３に係合するピニオン歯車１４と、奥側のかご壁３の外面に設けられたモータ１５と、このモータ１５の出力軸の回動を減速してピニオン歯車１４に伝達する減速機１６とを備えている。なお、図３は図１におけるＡ部詳細部であり、上記トランク昇降装置１２の構成を詳細に示したものである。また、上記モータ１５の起動及び停止を操作する操作スイッチ１７ａ及び１７ｂは、かご室４内のかご内操作盤６、及び、かご上に設けられて保守点検時に保守作業員が操作するかご上操作部１８に設けられている。
【００１５】
また、１９はエレベータの保守点検時にかご上の保守作業員が把持するかご上手摺であり、かご枠の上枠１に固定されている。そして、このかご上手摺１９は、天井トランクの直上部に配置されたものも含め、その高さがかご室天井部７の上面から７００〜１２００ｍｍ程度となるように配置されている。
【００１６】
また、図４は図２におけるＢ部詳細図、図５は図１に示すエレベータ装置の要部斜視図である。なお、図４及び図５は、かご室４のかご壁３の外面及び天井トランク間に設けられて、天井トランクの昇降方向を案内する昇降案内装置２０の構成を示したものである。この昇降案内装置２０は、両側のかご壁３外面に各２個ずつ設けられ、案内部２１ａが略垂直に配置されたガイドレール２１と、天井トランクに設けられて上記ガイドレール２１に係合するガイドシュー２２と、このガイドシュー２２を天井トランクに固定するために設けられた取付部２３とから構成される。ここで、上記ガイドレール２１は、同じ側のかご壁３に設けられた２つのガイドレール２１の案内部２１ａが互いに外側を向くように配置されている。また、上記ガイドシュー２２は、各ガイドレール２１に２個のガイドシュー２２が上下に係合するように配置されており、その内の一方のガイドシュー２２が、ガイドレール２１が設置されたかご壁３に対向する側面パネル１０の内面に設けられ、他方のガイドシュー２２が、上記側面パネル１０に設けられた取付部２３を介して側面パネル１０の下方に設けられている。
【００１７】
かかる構成を有するエレベータ装置において、長尺物の運搬等のために天井トランクを使用するには、先ず、操作スイッチ１７ａ又は１７ｂを操作することにより、トランク昇降装置１２のモータ１５を駆動させる。そして、トランク昇降装置１２により天井トランクを上昇させる。この時、天井トランクの上昇方向は、昇降案内装置２０により案内される。
【００１８】
ここで、図６はこの発明の実施の形態１におけるエレベータのかご装置の動作を説明する図であり、天井トランクを上昇させて長尺物を運搬する際の図１相当図である。図６において、天井トランクを上昇させることにより、かご室４の奥側上部には、かご室天井部７の下面よりさらに上方に所定のかご室内空間が形成される。この時、かご壁３の上縁部とトランク壁の下縁部とは所定の距離重なり合い、かご室４内の乗客からはかご壁３とトランク壁との間に隙間が見えることはない。また、前側遮蔽体１１は、先端部が連結されたトランク天井部８が上昇することにより、トランク天井部８とかご室天井部７との間に形成される空間を塞ぐように巻取り装置７ａから引き出される。なお、前側遮蔽体１１は、かご室天井部７内から引き出される際にかご室天井部７の出口付近に設けられた一対の案内ローラ２４によって案内されて、トランク天井部８及びかご室天井部７間に張設される。
【００１９】
なお、天井トランクを使用した後には、操作スイッチ１７ａ又は１７ｂの操作によりモータ１５を駆動させ、天井トランクを下降させる。この時、前側遮蔽体１１は、巻取り装置７ａに巻き取られて、かご室天井部７内に完全に収納される。
【００２０】
この発明の実施の形態１によれば、長尺物等の運搬時のみ天井トランクを上昇させることができるように構成されているため、エレベータの保守点検時に使用されるかご上手摺１９を全て同じ高さ、即ち、かご室天井部７の上面から所定の高さ以内に配置することができる。したがって、従来のように天井トランクが設けられた部分のかご上手摺１９を上方に突出させる必要もなく、昇降路の省スペース化を阻害することもない。また、トランク昇降装置１２がかご壁３に配置されるとともに、天井トランクを下降させた際にかご上面が全面に渡って平坦になるように構成されているため、かご上のスペースを広く確保することが可能であり、エレベータ保守点検時における保守作業員の作業性を向上させることができる。
【００２１】
なお、天井トランクの前側の側壁がシャッターやロールスクリーン等の前側遮蔽体１１で構成されて、この前側遮蔽体１１が天井トランクの下降時にかご室天井部７内の巻取り装置７ａに巻き取られるように構成されているため、従来のように天井トランクの一部、即ち、天井トランクの前側の側壁を形成するパネルがかご室４内に突出するような恐れもない。
【００２２】
実施の形態２．
図７はこの発明の実施の形態２におけるエレベータのかご装置の斜視図、図８は図７におけるＣ−Ｃ断面図、図９は図７におけるＤ部詳細図である。図７乃至図９において、天井トランクを昇降させるトランク昇降装置１２は油圧駆動方式が採用され、奥側のかご壁３の外面に設けられた油圧パワーユニットと、この油圧パワーユニットにより動作される油圧ジャッキ２５と、この油圧ジャッキ２５の可動部の動きを天井トランクに伝達するリンク２６とを備えている。上記油圧パワーユニットは、かご壁３の外面に設けられた油タンク２７と、油タンク２７内の油を油圧ジャッキ２５に送り込む油ポンプ２８と、油ポンプ２８を駆動するモータ２９と、油ポンプ２８及び油圧ジャッキ２５間に設けられた油配管３０とから構成される。また、かご壁３の外面には、略Ｌ字状のリンク固定金３１が設けられ、このリンク固定金３１に油圧ジャッキ２５の一端部及びリンク２６の一端部が固定されている。
【００２３】
また、天井トランクの昇降方向を案内する昇降案内装置２０には、実施の形態１における略Ｚ字状のガイドレール２１に代わって略Ｌ字状を呈するガイドレール３２がかご室４のかご壁３の外面に設けられ、また、ガイドシュー２２に代わってガイドレール３２の案内面を転動するコロ３３が天井トランクに設けられている。なお、その他は実施の形態１と同様の構成を有する。
【００２４】
上記構成を有するエレベータ装置において、長尺物の運搬等のために天井トランクを使用する場合には、操作スイッチ１７ａ又は１７ｂの操作によりトランク昇降装置１２のモータ２９を駆動させて、天井トランクを昇降させる。この時、天井トランクの上昇方向は、昇降案内装置２０により案内される。なお、図１０はこの発明の実施の形態２におけるエレベータのかご装置の斜視図であり、天井トランクを上昇させて長尺物等を運搬する際の図７相当図を示している。
【００２５】
かかる構成を有することにより、実施の形態１のようにガイドシュー２２を使用した場合より天井トランクの昇降を滑らかに構成することができ、さらに実施の形態１と同様の効果も奏することが可能となる。
【図面の簡単な説明】
【００２６】
【図１】この発明の実施の形態１におけるエレベータのかご装置の縦断面図である。
【図２】この発明の実施の形態１におけるエレベータのかご装置の横断面図である。
【図３】図１におけるＡ部詳細図である。
【図４】図２におけるＢ部詳細図である。
【図５】図１に示すエレベータ装置の要部斜視図である。
【図６】この発明の実施の形態１におけるエレベータのかご装置の動作を説明する図である。
【図７】この発明の実施の形態２におけるエレベータのかご装置の斜視図である。
【図８】図７におけるＣ−Ｃ断面図である。
【図９】図７におけるＤ部詳細図である。
【図１０】この発明の実施の形態２におけるエレベータのかご装置の斜視図である。
【符号の説明】
【００２７】
１  上枠
２  かご床
３  かご壁
４  かご室
５  かご戸
６  かご内操作盤
７  かご室天井部
７ａ  巻取り装置
８  トランク天井部
９  背面パネル
１０  側面パネル
１１  前側遮蔽体
１２  トランク昇降装置
１３  ラック
１４  ピニオン歯車
１５、２９  モータ
１６  減速機
１７ａ、１７ｂ  操作スイッチ
１８  かご上操作部
１９  かご上手摺
２０  昇降案内装置
２１、３２  ガイドレール
２１ａ  案内部
２２  ガイドシュー
２３  取付部
２４  案内ローラ
２５  油圧ジャッキ
２６  リンク
２７  油タンク
２８  油ポンプ
３０  油配管
３１  リンク固定金
３３  コロ
【図１】
0004684021.tif 000002
【図２】
0004684021.tif 000003
【図３】
0004684021.tif 000004
【図４】
0004684021.tif 000005
【図５】
0004684021.tif 000006
【図６】
0004684021.tif 000007
【図７】
0004684021.tif 000008
【図８】
0004684021.tif 000009
【図９】
0004684021.tif 000010
【図１０】
0004684021.tif 000011